(57)【要約】【課題】遊技機外から投入された遊技媒体に備える記録媒体に対して、所定のデータの読み書きを確実に行い、記録内容が安定した遊技媒体を排出する。【解決手段】機外から投入されるメダルを貯留するホッパーＡ４０と、ホッパーＡ４０から供給されるメダルを貯留するとともに、機外に払い出すホッパーＢ５１と、ホッパーＡ４０からホッパーＢ５１にメダルを供給する供給路６０と、を備え、供給路６０に、メダルに埋設されたＩＣチップに対して、所定のデータの読み書きを行うリーダ／ライタ部を設けた構成としてある。【選択図】図２
2011019660.tif 000002
【特許請求の範囲】
【請求項１】
機外から投入される遊技媒体を貯留する第一の貯留部と、
第一の貯留部から供給される遊技媒体を貯留するとともに、機外に払い出す第二の貯留部と、
第一の貯留部から第二の貯留部に遊技媒体を供給する供給路と、を備え、
前記供給路に、遊技媒体に備える記録媒体に対して、所定のデータの読み書きを行うリーダ／ライタ手段を設けたことを特徴とする遊技機。
【請求項２】
前記供給路を、遊技媒体が一列に並んで通過する通路幅で形成した請求項１記載の遊技機。
【請求項３】
前記リーダ／ライタ手段による読み書きに際して、遊技媒体を停留させるとともに、停留した遊技媒体を一ずつ第二の貯留部に向けて送出する送出手段を設けた請求項１又は２記載の遊技機。
【請求項４】
第二の貯留部に供給される遊技媒体の数量を調整する調整手段を設けた請求項１〜３のいずれか一項に記載の遊技機。
【請求項５】
遊技媒体を整流して前記供給路に導入する整流手段を設けた請求項１〜４のいずれか一項に記載の遊技機。
【請求項６】
前記リーダ／ライタ手段が読み書きを行った結果に基づいて、非正規な遊技媒体を第二の貯留部に供給される手前で排除する第一の取捨手段を設けた請求項１〜５のいずれか一項に記載の遊技機。
【請求項７】
遊技媒体の投入口から第一の貯留部に至る遊技媒体の投入経路において、
前記記録媒体に記録された所定の店情報を読み取る店情報読取手段と、
前記店情報読取手段が読み取った結果に基づいて、自店以外の遊技媒体を第一の貯留部に供給される手前で排除する第二の取捨手段と、を設けた請求項１〜６のいずれか一項に記載の遊技機。
【発明の詳細な説明】
【技術分野】
【０００１】
本発明は、機内に貯留した遊技媒体を払い出す遊技機に関し、特に、遊技媒体に備えた記録媒体に対して、所定のデータの読み書きを行うリーダ／ライタを備える遊技機に関する。
【背景技術】
【０００２】
パチンコ機やスロットマシンなどの遊技機が設置されている遊技場では、予め定めた貸出料金に基づいて、遊技球やメダルなどの遊技媒体を遊技者に貸し出して、営業を行っている。
近年では、この貸出料金の多様化が進み、遊技場の所定のエリア毎や、機種毎に異なる貸出料金を設定する営業形態が多く見受けられる。
このような営業形態では、異なる貸出料金で遊技を行った結果において遊技者が取得した遊技媒体は、低い貸出料金で取得した遊技媒体と、高い貸出料金で取得した遊技媒体とは、外見は同じ遊技媒体でも、それぞれ現金や景品に交換するときの交換率が異なるため、分けて管理する必要がある。そのために、貸出料金毎に遊技媒体を色分けしたり、貸出料金毎に専用の遊技媒体計数機を設置して、計数値が記録されたレシートなどの記録媒体に貸出料金を識別可能なマーク等を付すことで区別している。
【０００３】
このように、外見が同一の遊技媒体に異なる有価価値を付与した場合に、この有価価値の違いを識別する手法として、ＲＦＩＤタグ、ＩＣチップなどの記録媒体が埋設された遊技媒体から交換率を読取る遊技機が特許文献１に提案されている。
この遊技機によると、メダルに埋設した記録媒体から交換率を読取るとともに、読取った交換率に対応する大当り抽せん確率を設定するように構成されている。
また、この遊技機では、記録媒体に交換率を書き込むこともできるようになっている。
これにより、外見が同一の遊技媒体に異なる有価価値を付与することができるとともに、有価価値の違いを所定の読取装置等により識別することができ、景品交換時の管理が容易になる。
そこで、この遊技機を利用して、読み書きを行う情報の対象を貸出料金とすることで、貸出料金の識別も行うことができるため、前述したように、遊技媒体を色分けすることなく、貸出料金毎に管理することができる。
【先行技術文献】
【特許文献】
【０００４】
【特許文献１】特開２００８−１２５９３８号公報
【発明の概要】
【発明が解決しようとする課題】
【０００５】
ところで、遊技媒体に対して、交換率や貸出料金などの有価価値を有するデータを、読み書きする場合には、確実性が要求される。
交換率や貸出料金は、現金や景品との交換する際の指標であり、一の遊技媒体の有価価値を定めたものであるため、これを読み書き仕損じることは、遊技者又は遊技場のいずれかが損失を蒙ることになるだけでなく、遊技場の信用を失墜させる問題に発展し兼ねない。
【０００６】
そこで、特許文献１に記載された遊技機の適用を検討してみると、この遊技機では、遊技媒体を回転しながら機外に排出するホッパーにおいて、読み書きを行う構成であるため、読み込み時間や書き込み時間を十分に確保できず、読み書きされたデータの信頼性を保証できるものではなかった。
また、この遊技機では、遊技媒体を機外に排出する直前で読み書きを行う構成であるため、読み書き不能な遊技媒体も一緒に排出してしまい、均一な交換率や貸出料金に揃えることができず、有価価値毎に遊技媒体を正確に管理できないことは明らかであった。
このように、遊技機において、遊技媒体に備える記録媒体に交換率や貸出料金などのデータを記録させて、排出された遊技媒体を所定の読取装置等により識別可能にしたい要求はあるものの、データの読込み時や記録時の確実性が担保されないかぎり、採用することは困難である。
【０００７】
本発明は、上記の事情にかんがみなされたものであり、機外から投入された遊技媒体に備える所定の記録媒体に対して、データの読み書きを確実に行い、記録内容が安定した遊技媒体を排出する遊技機の提供を目的とする。
【課題を解決するための手段】
【０００８】
上記目的を達成するため本発明の遊技機は、機外から投入される遊技媒体を貯留する第一の貯留部と、第一の貯留部から供給される遊技媒体を貯留するとともに、機外に払い出す第二の貯留部と、第一の貯留部から第二の貯留部に遊技媒体を供給する供給路と、を備え、前記供給路に、遊技媒体に備える記録媒体に対して、所定のデータの読み書きを行うリーダ／ライタ手段を設けた構成としてある。
【発明の効果】
【０００９】
本発明によれば、遊技機外から投入された遊技媒体に備える所定の記録媒体に対して、読み書きを確実に行い、記録内容が安定した遊技媒体を排出することができる。
【図面の簡単な説明】
【００１０】
【図１】本発明の一実施形態に係るスロットマシンを示す概略正面図である。
【図２】本発明の一実施形態に係るスロットマシンの内部構成を示す概略斜視図である。
【図３】本発明の一実施形態に係るスロットマシンの制御構成を示すブロック図である。
【図４】本発明の一実施形態に係るスロットマシンにおけるメダルの投入経路を示す説明図である。
【図５】本発明の一実施形態に係るスロットマシンにおける貯留・払出部の構成を示す斜視図である。
【図６】本発明の一実施形態に係るスロットマシンにおける貯留・払出部の構成を示す平面図である。
【図７】本発明の一実施形態に係るスロットマシンにおける第一貯留部（ホッパーＡ）の構成を示す断面図である。
【図８】本発明の一実施形態に係るスロットマシンにおける第一貯留部（ホッパーＡ）の異なる実施例を示す断面図である。
【図９】本発明の一実施形態に係るスロットマシンの供給路におけるメダルの経路を示す説明図である。
【図１０】本発明の一実施形態に係るスロットマシンにおける送出装置の動作を示す説明図である。
【図１１】本発明の一実施形態に係るスロットマシンにおける切替装置の動作を示す説明図である。
【図１２】本発明の一実施形態に係るスロットマシンにおいて行われる記録媒体に対する読み書き処理を示すフローチャートである。
【発明を実施するための形態】
【００１１】
以下、本発明に係る遊技機の好ましい実施形態について説明する。
遊技機には、遊技球を遊技媒体として用いるパチンコ機、アレンジボール、雀球や、メダルを遊技媒体として用いるスロットマシンなど様々な機類があるが、本実施形態では、メダルを遊技媒体とするスロットマシンに本発明を適用した場合について、図面を参照しつつ説明する。
図１は、スロットマシンの概略正面図、図２は、スロットマシンの内部構成を示す概略斜視図、図３は、スロットマシンの制御構成を示すブロック図である。また、図４は、メダルセレクタ部におけるメダルの投入経路を示す説明図、図５は、貯留・払出部の斜視図、図６は、貯留・払出部の平面図である。
【００１２】
これらの図に示すように、本実施形態に係るスロットマシン１は、一方向を開口した筐体１ｂと、この筐体１ｂにヒンジ等を介して開閉可能に取り付けられた前扉１ａとからなる筐体構造を有し、前扉１ａの前面側に、メダル投入口２と、ＭＡＸＢＥＴボタン６ａと、１ＢＥＴボタン６ｂと、スタートレバー４と、複数の停止ボタン５（５ａ〜５ｃ）と、メダル払出口７と、表示器Ｌとを備え、また、前扉１ａの後面側に、スピーカＳＰと、メダルセレクタ部２０とを備え、さらに、筐体１ｂの内部に、ドラムユニット３０と、貯留・払出部Ｒと、制御部８０と、演出制御部９０など、を備える回胴式遊技機として構成されている。
【００１３】
スロットマシン１は、クロック発生回路、乱数発生回路、外部出力回路などの各種回路や、ＣＰＵ８０ａ、ＲＯＭ８０ｂ、ＲＡＭ８０ｃなどを有するコンピュータとして構成された制御部８０により制御され（図３参照）、ＣＰＵ８０ａが、メダルセレクタ部２０、スタートレバー（スタートスイッチ）４、停止ボタン（ストップスイッチ）５、貯留・払出部Ｒなどから入力される信号に基づいて、ドラムユニット３０、貯留・払出部Ｒ、演出制御部９０などの制御を行い、スロットマシン遊技を進行させるようになっている。
【００１４】
また、このスロットマシン１で用いられる遊技媒体となるメダルには、遊技場を特定可能な店情報を示す自店ＩＤと、遊技者に対して貸出される一メダル当りの貸出料金とを、書替え可能な揮発性記録媒体からなるＩＣチップが埋設されている（不図示）。
このＩＣチップは、後述のリーダ部２０１と、リーダ／ライタ部６１から発信された電波を受信することで、この電波により発電して、反射波に自店ＩＤと貸出料金を搬送して発信するとともに、受信したデータ（貸出料金）に基づいて、記憶した貸出料金を更新するパッシブタイプのＲＦタグで構成されている
そして、本実施形態のスロットマシン１では、このようなメダルに対して、自店ＩＤと貸出料金の読み書きが貯留・払出部Ｒにおいて確実に行われるようになっている。以下に、スロットマシン１に備える各部の詳細について説明する。
【００１５】
メダル投入口２は、ゲームに賭けるメダルを受け入れる投入口である。スロットマシン１では、ゲームにメダルを賭ける方法として、ゲーム毎にメダル投入口２からメダルを投入する方法と、クレジット機能により内部に貯留されたメダルをゲームに賭ける方法とがある。
クレジット機能は、メダル投入口２から投入されたメダルや、ゲームの入賞内容に応じて払い出されるメダルを、最大クレジット枚数（例えば、５０枚）を上限として内部に貯留（記憶）する機能であり、クレジットされたメダルの枚数は、所定の表示部に表示される。
【００１６】
ＭＡＸＢＥＴボタン６ａ及び１ＢＥＴボタン６ｂは、クレジットとして貯留されたメダルをゲームに賭けるためのスイッチである。１ＢＥＴボタン６ｂは、クレジットとして貯留されたメダルを、一回の操作につき一枚ずつ賭けることができ、ＭＡＸＢＥＴボタン６ａは、一回のゲームに賭けられる最大枚数（例えば、三枚）を、一回の操作で賭けることができる。
【００１７】
スタートレバー４は、ゲームスタート手段として構成されている。ゲーム可能なメダル数が賭けられた状態でスタートレバー４が操作されると、ドラムユニット３０に設けられるリール３１ａ〜３１ｃの回転が開始されるとともに、制御部８０において、所定の内部抽せんが行われる。
停止ボタン５ａ〜５ｃは、リール３１ａ〜３１ｃと同数（通常は三つ）設けられている。これらの停止ボタン５ａ〜５ｃが押されると、このタイミングと内部抽せんに基づいて対応するリール３１ａ〜３１ｃの回転が停止制御され、停止した各リール３１に表された図柄の組合せでゲームの入賞又は外れが決まる。
【００１８】
メダル払出口７は、ゲームの入賞内容に応じて払い出されるメダルの排出口である。
表示器Ｌは、演出制御部９０により制御される液晶ディスプレイで構成され、動画や静止画の表示により、遊技の演出を行う。
スピーカＳＰは、演出制御部９０により制御され、効果音、払出音、音声メッセージなどの出音により、遊技の演出を行う。
【００１９】
メダルセレクタ部２０は、図４に示すように、メダル投入口２から貯留・払出部Ｒ（４０，７０）に至る傾斜したメダル投入経路を形成しており、このメダル投入経路において、自店ＩＤ以外のメダルを排除する第二の取捨手段としての動作と、メダルの通過検出と、を行うように構成されている。
メダルＭの通過検出は、例えば、透過型や反射型のフォトインタラプタなどの光学センサからなる投入センサ２０４において行われる。
投入センサ２０４は、メダル投入経路の下流側に配置され、後述の貯留・払出部Ｒに備えるホッパーＡ４０に導かれるメダルＭを検出し、この検出信号を制御部８０に出力する。
制御部８０では、この検出信号を監視して、所定数のメダル通過を判定すると、スタートレバー４を操作可能な状態に制御する。
【００２０】
自店ＩＤ以外のメダルＭの排除は、メダルＭから自店ＩＤを読取るリーダ部２０１と、この読取結果に基づいて動作する切替ソレノイドＡ２０２と、この動作に連動して作動する切替レールＡ２０３によって行われる。
リーダ部２０１は、店情報読取手段の一例であり、内蔵された所定の光学センサによってメダルＭの通過を検出するとともに、メダルＭの通過検出により電波を発信し、この電波の反射波としてメダルＭに埋設されたＩＣチップから搬送されるＩＤデータを受信する。そして、メダルＭの通過検出と、受信したＩＤデータを制御部８０に出力する。
【００２１】
切替ソレノイドＡ２０２は、第二の取捨手段の一部であり、制御部８０により制御される電磁石で構成されている。
具体的には、制御部８０に予め記憶された自店ＩＤとリーダ部２０１が受信したＩＤデータとが異なる場合、又はリーダ部２０１がメダルＭの通過を検出しつつもＩＤデータが受信不能な場合には、制御部８０により、切替ソレノイドＡ２０２が非励磁（オフ）制御され、ＩＤデータが自店ＩＤのときには、励磁（オン）制御される。
切替レールＡ２０３は、第二の取捨手段の一部であり、切替ソレノイドＡ２０２の動作に連動してメダルＭが流下する経路を切替える操作端として構成され、切替ソレノイドＡ２０２が非励磁（オフ）で、メダルＭを後述の貯留・払出部Ｒに備える回収箱７０へ誘導し、切替ソレノイドＡ２０２が励磁（オン）でメダルＭを投入センサ２０４、さらには、ホッパーＡ４０へ誘導するようになっている。
【００２２】
このような構成からなるメダルセレクタ部２０によれば、メダル投入口２から投入されたメダルＭをリーダ部２０１において識別し、自店ＩＤ以外のメダルＭを、投入センサ２０４に検出させることなく、ホッパーＡ４０に供給される手前で回収箱７０に回収するとともに、自店ＩＤが記録されたメダルＭを、投入センサ２０４で検出させつつ、ホッパーＡ４０に供給することができる。
これにより、他店メダルが店内に流通することを回避できるとともに、自店メダル以外でのゲームが禁止されるため、他店メダルの混入により発生する遊技場の損失を解消できる。
なお、自店ＩＤ以外のメダルＭは、回収箱７０に回収することもできるが、シュート２０ａを介してメダル払出口７から遊技者に返却することもできる。
【００２３】
ドラムユニット３０は、複数のリール３１ａ〜３１ｃと、モータ駆動回路（図示せず）と、複数のステッピングモータ（図示せず）と、リール位置検出部（図示せず）とを有している。
リール３１ａ〜３１ｃの外周面には、複数の図柄が描かれている。これらの図柄は、前扉１ａの表示窓３を介して、遊技者に目視される。
【００２４】
モータ駆動回路は、制御部８０からのパルス信号にもとづき、ステッピングモータを駆動制御して、リール３１ａ〜３１ｃの回転を始動・停止させる。
リール位置検出部は、リール３１ａ〜３１ｃの回転が停止すると、このリール３１ａ〜３１ｃに記されたマーカに基づいて、リール３１ａ〜３１ｃの回転停止位置を検出し、この検出により制御部８０が停止図柄の組合せを判定する。
【００２５】
演出制御部９０は、ＣＰＵ等を有するコンピュータで構成され、表示駆動回路、サウンド回路、ランプ駆動回路を備え、制御部８０からの制御信号に基づいて、表示器Ｌ、スピーカＳＰ、ＬＥＤ等のランプを駆動制御して、所定の演出を行わせる。
【００２６】
貯留・払出部Ｒは、第一の貯留部として動作するホッパーＡ４０と、第二の貯留部として動作するメダル払出装置５０（ホッパーＢ５１）と、ホッパーＡ４０からメダル払出装置５０（ホッパーＢ５１）にメダルを供給する供給路６０と、回収箱７０とを備え、供給路６０に設けられたリーダ／ライタ部６１において、メダルＭに対して、自店ＩＤと貸出料金の読み書きが確実に行われるようになっている。以下、貯留・払出部Ｒの各部について図５〜図１２を参照しつつ説明する。
図７は、ホッパーＡ４０の側面図（断面図）、図８は、ホッパーＡ４０の異なる実施形態を示す側面図（断面図）である。また、図９は、図６において供給路６０をＺ方向から見た側面図、図１０は、送出装置６２の動作を示す説明図、図１１は、切替装置６３の動作を示す説明図である。また、図１２は、メダルＭに対して行われる読み書き処理を示すフローチャートである。
【００２７】
ホッパーＡ４０は、第一の貯留部の一例であり、図５に示すように、上方に開口した有底筒状の容器として構成され、メダル投入口２から投入される、投入センサ２０４により検出されたメダルＭと、遊技場の店員又は自動補給装置等によって機外から補給されるメダルＭとを貯留する。
このホッパーＡ４０に貯留されるメダルＭは、バラバラな貸出料金が記憶されている可能性が高く、メダル投入口２から投入されるメダルＭに関しては、メダルセレクタ部２０により自店ＩＤ以外のメダルＭは排除されているものの、遊技場の店員又は自動補給装置等によって機外から補給されるメダルＭに関しては、自店ＩＤ以外のメダルＭが混在している可能性がある。
【００２８】
図７に示すように、ホッパーＡ４０の底部には、貯留したメダルＭを搬送するベルトコンベア４１が設けられている。
ベルトコンベア４１は、ベルトモータ４１ａにより駆動され、ベルトコンベア４１に載置されたメダルＭは供給路６０に向けて誘導されるとともに、誘導されたメダルＭは供給路６０のレール６０ａに投入されるようになっている。
また、このベルトコンベア４１は、調整手段の一例として動作し、後述のホッパーＢ５１に備える数量センサ５５からの供給開始・停止信号に基づいて制御部８０がベルトモータ４１ａを回転・停止制御させることで、ホッパーＢ５１に供給されるメダルＭの数量を調整することができる。
【００２９】
また、同図に示すように、ホッパーＡ４０内の傾斜面下端部に位置する傾斜端４０ａとベルトコンベア４１とは、一以上二未満のメダル厚相当の間隙を有している（整流手段）。
このような構成により、傾斜端４０ａが、ベルトコンベア４１に重なって載置されたメダルＭを一枚ずつにならし、レール６０ａに誘導されるメダルの重なりを解消するようになっている。
【００３０】
また、図８に示した異なる実施形態のホッパーＡ４０のように、メダルＭの自重を利用してメダルＭを自然落下させ、レール６０ａに直接投入することもできる。このように、モータ等の動力を設けずに、メダルＭをレール６０ａに誘導することで、製造コストが低減でき、省力化が図られる。
また、この例では、メダルＭの落下方向に複数の整流板４２ａ，４２ｂを重ねて設けてある（整流手段）。これにより、鉛直方向に重なるメダルＭを分散させることができ、メダルＭが重なって停滞するメダル詰まりを回避できるようにしてある。
【００３１】
供給路６０は、図５及び図６に示すように、ホッパーＡ４０に貯留されたメダルＭをホッパーＢ５１に供給するための通路として構成され、レール６０ａと、リーダ／ライタ部６１と、送出装置６２と、切替装置６３とを備えている。
レール６０ａは、図９に示すように、メダルＭが自重によってホッパーＢ５１に向けて転動可能に傾斜した通路であり、一以上二未満のメダル厚相当の通路幅を有して形成されている（図１０参照）。
このように構成されたレール６０ａにより、ホッパーＡ４０からレール６０ａに投入されたメダルＭは、一列に並んでこのレール６０ａ上を転動して、ホッパーＢ５１に誘導される。これにより、リーダ／ライタ部６１が、一列に並んだメダルＭに対して、一枚ずつ読み書きを行うことができる。
【００３２】
送出装置６２は、レール６０ａを転動するメダルＭを停留させるとともに、停留したメダルＭを一ずつホッパーＢ５１に向けて送出する送出手段の一例であり、メダルＭの転動・停留を制御するリンク６２１と、リンク６２１を駆動させる送出ソレノイド６２３を備えている。
リンク６２１は、軸６２２を中心に振り子動作することで、図９に示すように、リンク前部６２１ａとリンク後部６２１ｂをレール６０ａ内に交互に突出させて、レール６０ａを通過するメダルＭの転動・停留を制御する。
送出ソレノイド６２３は、制御部８０により制御される電磁石で構成され、励磁／非励磁によって挿入されるプランジャ６２３ｂをレール６０ａに沿って伸縮させるとともに、このプランジャ６２３ｂに連結されたリンク６２１を振り子動作させる。
プランジャ６２３ｂには、プランジャ６２３ｂを伸長させるように付勢するバネ６２３ａが巻回されている。これにより、送出ソレノイド６２３が非励磁状態（オフ）においては、リンク後部６２１ｂがレール６０ａに突出するとともに、励磁状態（オン）においては、リンク前部６２１ａがレール６０ａに突出するようになっている（図１０参照）。
【００３３】
リーダ／ライタ部６１は、レール６０ａを通過する一のメダルＭを検出するとともに、このメダルＭに埋設されたＩＣチップに対して、非接触で自店ＩＤと貸出料金の読み書きを行う。
具体的には、リーダ／ライタ部６１は、内蔵された所定の光学センサによって一のメダルＭの通過を検出するとともに、メダルＭの通過検出により電波を発信し、この電波の反射波としてメダルＭに埋設されたＩＣチップから搬送されるＩＤデータと貸出料金データを受信する。そして、メダルＭの通過検出と、受信したＩＤデータ及び貸出料金データを制御部８０に出力する。
また、リーダ／ライタ部６１は、制御部８０に予め設定・記憶された貸出料金と異なる貸出料金データを発信したメダルＭに対して、制御部８０に記憶した貸出料金を返送して、ＩＣチップに記録された貸出料金データを正規な貸出料金に更新させる。
さらに、リーダ／ライタ部６１は、この貸出料金データを返送したメダルＭが正規な貸出料金に更新したか否かを制御部８０が判定するために、このメダルＭから再び貸出料金データを受信し、制御部８０に出力することもできる。これにより書込み不能なメダルＭを排除することもできる。
【００３４】
このように構成されたリーダ／ライタ部６１と送出装置６２は、制御部８０により制御されることで、上述したようなリーダ／ライタ部６１によるメダルＭに対する自店ＩＤと貸出料金の読み書きと、送出装置６２の動作は、以下のように連動して行われる。
制御部８０は、通常状態において、図１０（ａ）に示すように、送出ソレノイド６２３を励磁（オン）制御してプランジャ６２３ｂを吸引させている。その結果、通常状態では、プランジャ６２３ｂが縮まり、リンク前部６２１ａを、メダルＭの転動を妨げて停留させるようにレール６０ａに突出した状態としておく。
この通常状態において、リーダ／ライタ部６１に内蔵された所定の光学センサがメダルＭ１を検出した場合、リーダ／ライタ部６１は、リンク前部６２１ａによって停留状態となったメダルＭ１に対して電波を発信し、メダルＭ１に埋設されたＩＣチップから搬送されるＩＤデータと貸出料金データを受信する読取動作と、制御部８０に設定・記憶された貸出料金と異なる貸出料金データを発信したメダルＭ１に対しては、制御部８０に設定・記憶した貸出料金を返送して、ＩＣチップに記録された貸出料金を正規な貸出料金に更新させる書込動作とを行う。
このように、メダルＭ１を停留状態にして、読取動作と書込動作とを行うことで、読取時間や書込時間を十分に確保でき、ＩＣチップに対して正確な読み書きを行うことかできるとともに、書き込まれた貸出料金の安定化を図ることができ、読み書きされたデータの信頼性を向上させることができる。
【００３５】
また、制御部８０は、リーダ／ライタ部６１による読取動作と書込動作が終了すると、図１０（ｂ）に示すように、送出ソレノイド６２３を非励磁（オフ）制御する。
これにより、プランジャ６２３ｂがバネ６２３ａの復元力で伸長し、リンク後部６２１ｂがレール６０ａに突出することで、メダルＭ２及びＭ３の転動を妨げて停留させるとともに、読み書き済みのメダルＭ１を停留から解放させ、メダルＭ１をホッパーＢ５１に向けて転動させる。
この状態におけるメダルＭ１は、後続するメダルＭ２及びＭ３と分断されていることから、制御部８０は、このタイミングで、読み書きの結果に基づいて切替装置６３を制御し、このメダルＭ１をホッパーＢ５１又は回収箱７０のいずれかに誘導するようになっている（後述）。
そして、制御部８０は、切替装置６３を制御した後は、図１０（ｃ）に示すように、送出ソレノイド６２３を再び励磁（オン）制御し、メダルＭ２に対して上記の動作を繰り返して行う。
【００３６】
また、このように動作する送出装置６２は、前述のベルトコンベア４１と同様に、調整手段の一例として動作し、後述のホッパーＢ５１に備える数量センサ５５からの検出信号に基づいて制御部８０が送出ソレノイド６２３を励磁／非励磁制御する間隔を変化させることで、ホッパーＢ５１に供給されるメダルＭの数量を調整することができる。
【００３７】
切替装置６３は、リーダ／ライタ部６１による読取動作と書込動作に基づいて、メダルＭの誘導先をホッパーＢ５１又は回収箱７０のいずれかに切替える第一の取捨手段として動作し、メダルＭの誘導先を切替える切替レールＢ６３１と、切替レールＢ６３１を駆動させる切替ソレノイドＢ６３２とを備えている。
切替レールＢ６３１は、軸６３１ａを中心に振り子動作することで、図９に示すように、送出装置６２による停留から解放されたメダルＭをホッパーＢ５１又は回収箱７０のいずれかに誘導する。
切替ソレノイドＢ６３２は、制御部８０により制御される電磁石で構成され、励磁（オン）制御されると鋼製の切替レールＢ６３１を直接吸引し、非励磁制御されると吸引を解除する。
切替装置６３の具体的な動作について、図１１を用いて以下に説明する。
【００３８】
図１１（ａ）は、切替ソレノイドＢ６３２が励磁（オン）された状態を示し、図１１（ｂ）は、切替ソレノイドＢ６３２が非励磁（オフ）された状態を示している。
図１１（ａ）に示すように、切替ソレノイドＢ６３２が励磁（オン）された状態では、切替レールＢ６３１が吸引されることで、切替レールＢ６３１がレール６０ａ底面の一部となり、メダルＭがホッパーＢ５１に誘導されるようになっている。
一方、図１１（ｂ）に示すように、切替ソレノイドＢ６３２が非励磁（オフ）の状態では、切替レールＢ６３１がバネ６３２ａの復元力によって傾くことで、レール６０ａ底面に開口が形成されて、メダルＭが回収箱７０に誘導されるようになっている。
【００３９】
そして、このような切替装置６３の動作は、制御部８０により制御されて、上述したようなリーダ／ライタ部６１によるメダルＭに対する自店ＩＤと貸出料金の読み書きと、送出装置６２の動作と連動して行われる。
具体的には、制御部８０は、リーダ／ライタ部６１が受信したＩＤデータと制御部８０に予め記憶された自店ＩＤとが異なる場合、又はリーダ／ライタ部６１がメダルＭの通過を検出しつつもＩＤデータが受信不能な場合、又はリーダ／ライタ部６１が貸出料金を返送しつつも正規な貸出料金に更新されなかった場合は、送出ソレノイド６２３を非励磁（オフ）制御したとき、すなわち、送出装置６２が停留させていたメダルＭを解放して、ホッパーＢ５１に向けて転動させたときに、切替ソレノイドＢ６３２を非励磁（オフ）の状態としておく。
これにより、自店ＩＤ以外のメダルＭと、貸出料金が書込み不能なメダルＭは、ホッパーＢ５１に供給される手前で、回収箱７０に回収される。
【００４０】
一方、制御部８０は、リーダ／ライタ部６１が受信したＩＤデータが制御部８０に予め記憶された自店ＩＤの場合であり、かつ、リーダ／ライタ部６１が受信した貸出料金データが制御部８０に設定・記憶された貸出料金の場合は、送出ソレノイド６２３を非励磁（オフ）制御したとき、すなわち、送出装置６２が停留させていたメダルＭを解放して、ホッパーＢ５１に向けて転動させたときに、切替ソレノイドＢ６３２を励磁（オン）の状態としておく。
これにより、自店ＩＤであって、かつ、ＩＣチップに正規の貸出料金が記録されたメダルＭはホッパーＢ５１に誘導される。
このように、供給路６０では、リーダ／ライタ部６１と、送出装置６２と、切替装置６３とが連動して動作することで、ホッパーＢ５１に供給されるメダルＭを、遊技場に流通可能な一の貸出料金が記録されたメダルＭに揃えるようになっている。すなわち、ホッパーＡ４０に貯留されるメダルＭに、自店ＩＤ以外のメダルＭとバラバラな貸出料金が記憶されているメダルＭが混在していても、ホッパーＢ５１に貯留されるメダルＭを、自店ＩＤであって、かつ、ＩＣチップに正規の貸出料金が記録されたメダルＭに揃えることができる。
【００４１】
メダル払出装置５０は、ホッパーＢ５１と、底部にホッパー駆動機構を有している。
ホッパーＢ５１は、第二の貯留部の一例であり、供給路６０を介してホッパーＡ４０から供給されるメダルＭを貯留可能な容器として形成されている。
本実施形態のホッパーＢ５１は、上方を開口させているが、店員等が誤ってホッパーＢ５１にメダルを補給することを防止するために、開口を蓋状部材で覆うこともできる。
【００４２】
ホッパーＢ５１には、貯留されているメダルＭの有無を検出する数量センサ５５が設けられている。
数量センサ５５は、例えば、一対の発光素子５５ａと受光素子５５ｂとからなる光センサで構成され、受光素子５５ｂが発光素子５５ａからの光を受光することで、メダル供給開始を指示する供給開始信号が、制御部８０に入力され、発光素子５５ａからの光が貯留メダルＭにより遮られることで、メダル供給停止を指示する供給停止信号が制御部８０に入力される。
その結果、制御部８０は、調整手段として動作し、供給開始信号が入力されると、ベルトコンベヤ４１と供給路６０（リーダ／ライタ部６１，送出装置６２，切替装置６３）を制御して、メダルＭの供給を開始し、供給停止信号が入力されると、これらを停止させ、メダルＭの供給を停止する。
これにより、ホッパーＢ５１には、自店ＩＤであって、かつ、ＩＣチップに正規の貸出料金が記録された一定量のメダルＭが貯留されるようになる。
【００４３】
ホッパー駆動機構には、案内孔５３ｂに誘導されたメダルＭを回転してメダル排出口５２に送出する回転板５３と、この回転板５３を駆動させる払出モータ５３ａと、メダル排出口５２から払出されるメダルを検出する払出センサ５４と、が設けられている。
ホッパー駆動機構は、制御部５０からの払出信号に基づいて払出モータ５３ａが駆動され、ホッパーＢ５１に貯留されている所定枚数のメダルを、メダル排出口５２から排出させて、メダル払出口７から払い出す。
払出センサ５４は、メダル排出口５２から排出されるメダルの枚数をカウントし、これを制御部５０へ送る。
このように、メダル払出装置５０は、ホッパーＢ５１に貯留されたメダルＭを払い出すため、メダル払出口７から払い出されるメダルＭは、自店ＩＤであって、かつ、ＩＣチップに正規の貸出料金が記録されたメダルとなる。
【００４４】
以上のように構成されたスロットマシン１は、制御部８０により制御されて動作する。
制御部８０のＲＯＭ８０ｂには、スロットマシン１を制御するプログラムを記憶しており、このプログラムにしたがってＣＰＵ８０ａが動作される。
また、ＲＯＭ８０ｂには、メダルＭに対して行われる読み書き処理に関するプログラムと、自店ＩＤと貸出料金の読み書きに関する各種データも記憶され、ＣＰＵ８０ａがこのプログラムを実行することにより、メダルセレクタ部２０と貯留・払出部Ｒが制御され、メダルＭに対して読み書き動作を行う。
以下に、制御部８０で実行される読み書き処理について、図１２を参照しつつ説明する。
【００４５】
制御部８０は、メダルセレクタ部２０におけるリーダ部２０１からのメダルＭの通過信号を監視し、メダルＭが通過すると、リーダ部２０１から電波を発信させるとともに、この電波に基づくメダルＭからの反射波に搬送されたＩＤデータを読取る（Ｓ１）。
制御部８０は、ＲＯＭ８０ｂに記憶した自店ＩＤと、読取ったＩＤデータとを比較・照合する（Ｓ２）。
制御部８０は、比較・照合の結果、ＩＤデータ受信不能な場合も含め、ＩＤデータが自店ＩＤと不一致のときは（Ｓ２−Ｎｏ）、切替ソレノイドＡを非励磁（オフ）制御し（Ｓ３）、これに連動して、切替レールＡ２０３は、メダルＭが流下する経路を回収箱７０に向ける。
一方、ＩＤデータが自店ＩＤと一致したときは（Ｓ２−Ｙｅｓ）、切替ソレノイドＡを励磁（オン）制御し（Ｓ４）、これに連動して、切替レールＡ２０３は、メダルＭが流下する経路をホッパーＡ４０に向け、自店ＩＤが記録されたメダルＭをホッパーＡ４０に貯留する（Ｓ５）。
これにより、自店ＩＤ以外のメダルＭをすべて回収できるとともに、ホッパーＡ４０に誘導されるすべてのメダルＭを自店ＩＤが記録されたメダルとすることができる。
【００４６】
次に、制御部８０は、数量センサ５５から供給開始信号が入力されると、ベルトコンベア４１を駆動制御するとともに（Ｓ６）、送出ソレノイドを励磁（オン）して（Ｓ７）、一のメダルＭをリーダ／ライタ部６１が読取可能な位置に停留させる。
制御部８０は、リーダ／ライタ部６１からのメダルＭの通過信号を監視し、メダルＭが通過すると、リーダ／ライタ部６１から電波を発信させるとともに、メダルＭからの反射波に搬送されたＩＤデータと貸出料金データを読取る（Ｓ８）。
制御部８０は、ＲＯＭ８０ｂに記憶した自店ＩＤと、読取ったＩＤデータとを比較・照合とする（Ｓ９）。
比較・照合の結果、ＩＤデータ受信不能な場合も含め、ＩＤデータが自店ＩＤと不一致のときは（Ｓ９−Ｎｏ）、制御部８０は、送出ソレノイドを非励磁（オフ）制御して（Ｓ１０）、メダルＭをリンク６２１による停留から解放するとともに、切替ソレノイドＢを非励磁（オフ）制御し（Ｓ１１）、これに連動して、切替レールＢ６３１を、下方に開口させ、メダルＭを回収箱７０に誘導する。
このように、供給路６０では、メダルセレクタ部２０と異なり、メダルＭを停留させて、自店ＩＤか否かの比較・照合するため、正確な判定ができ、メダルセレクタ部２０での読み取りミスにより、ホッパーＡ４０に自店ＩＤ以外のメダルが混在したときでも、この供給路６０で確実に排除するようになっている。
【００４７】
一方、ＩＤデータが自店ＩＤと一致したときは（Ｓ９−Ｙｅｓ）、制御部８０は、ＲＯＭ８０ｂに設定・記憶した貸出料金と、読取った貸出料金データとを比較・照合とする（Ｓ１２）。
比較・照合の結果、貸出料金データが設定・記憶した貸出料金と不一致のときは（Ｓ１２−Ｎｏ）、制御部８０は、リーダ／ライタ部６１を制御して、設定・記憶した貸出料金をメダルＭに埋設されたＩＣチップに書き込み、正規な貸出料金に更新させる。
ここで、制御部８０が、リーダ／ライタ部６１を制御して再発信させるとともに、メダルＭからの反射波に搬送された貸出料金データを再び読取り、正規の貸出料金への更新の成否を確認することもできる。この確認の結果、正規の貸出料金への更新が確認できないときには、書込み不能なメダルＭとして、上記のＳ１０とＳ１１の処理を実行し、このメダルＭを回収箱７０に誘導することもできる。
【００４８】
その後、制御部８０は、比較・照合の結果、貸出料金データが設定・記憶した貸出料金と一致のときも含め（Ｓ１２−Ｙｅｓ）、メダルＭに正規な貸出料金が記録（更新）されたときには、送出ソレノイドを非励磁（オフ）制御して（Ｓ１４）、メダルＭをリンク６２１による停留から解放する。これとともに、切替ソレノイドＢを励磁（オン）制御し（Ｓ１５）、これに連動して、切替レールＢ６３１を、レール６０ａ底面の一部とさせ、メダルＭがホッパーＢ５１に誘導されて、貯留される（Ｓ１６）。そして、制御部８０は、以上のような処理（Ｓ６〜Ｓ１６）を、数量センサ５５から供給停止信号が入力されるまで繰り返すようになっている。
【００４９】
以上のように構成された本実施形態のスロットマシン１によれば、機外から投入されたメダルＭに埋設されたＩＣチップに対して、自店ＩＤの読取動作、貸出料金の書込動作をメダルＭ毎に確実に行い、記録内容が安定したメダルＭをメダル払出口７から排出することができる。
【００５０】
以上、本発明について、好ましい実施形態を示して説明したが、本発明は、上述した実施形態にのみ限定されるものではなく、特許請求の範囲内で種々の変更が可能であることは言うまでもない。
例えば、本実施形態では、制御部８０がリーダ部２０１、切替ソレノイドＡや、貯留・払出部Ｒを制御したが、これらを演出制御部９０に接続することで、演出制御部９０が制御することもできる。
また、ＲＯＭ８０ｂに設定・記憶されている貸出料金は一つの貸出料金に限らず、複数の貸出料金を設定・記憶することもできる。この場合には、メダルＭに埋設されたＩＣチップに書き込む貸出料金を外部からの操作に基づき適宜選択することもできる。
例えば、３種類の貸出料金を予め記憶している場合には、電源投入時からの所定時間内に、３種類の貸出料金に対応させた停止ボタン５ａ〜５ｃのいずれかを押下操作することで、メダルＭに書き込む一の貸出料金を選択して設定することもできる。
【００５１】
また、リーダ／ライタ部６１に、上記の複数の貸出料金を設定・記憶可能な不揮発性ＲＯＭ等の記憶手段を設けるとともに、ＣＰＵ、ＲＡＭなどを設けることで、リーダ／ライタ部６１をコンピュータとして構成することもできる。そして、リーダ／ライタ部６１に、貸出料金を設定・変更可能なスイッチ等の入力手段を設けるとともに、リーダ部２０１、切替ソレノイドＡ２０２、送出ソレノイド６２３、切替ソレノイドＢ６３２、数量センサ５５、ベルトモータ４１ａ等を接続して、前述した制御部８０と同様に、これらを制御させることもできる。これにより、制御部８０の負荷を軽減できる。
【産業上の利用可能性】
【００５２】
本発明は、所定の記録媒体を備える遊技媒体を用いて遊技を行う遊技機に広く利用できる。
【符号の説明】
【００５３】
１  スロットマシン
２０  メダルセレクタ部（第二の取捨手段）
４０  ホッパーＡ（第一の貯留部）
５０  メダル払出装置
５１  ホッパーＢ（第二の貯留部）
６０  供給路
６１  リーダ／ライタ部（リーダ／ライタ手段）
６２  送出装置（送出手段）
６３  切替装置（第一の取捨手段）
【図１】
2011019660.tif 000003
【図２】
2011019660.tif 000004
【図３】
2011019660.tif 000005
【図４】
2011019660.tif 000006
【図５】
2011019660.tif 000007
【図６】
2011019660.tif 000008
【図７】
2011019660.tif 000009
【図８】
2011019660.tif 000010
【図９】
2011019660.tif 000011
【図１０】
2011019660.tif 000012
【図１１】
2011019660.tif 000013
【図１２】
2011019660.tif 000014